(57)【特許請求の範囲】
【請求項１】
左右に所定の隙間を隔てて隣り合う建物を相互に接続する建物の接続構造において、
隣り合う前記建物の屋根に取り付けられて、該屋根間の隙間を覆う上部カバー材と、
隣り合う前記建物の外壁に取り付けられて、該外壁間の隙間を覆う外壁カバー材とを備え、
前記上部カバー材は、左右方向に伸縮可能であり、かつ前後方向に摺動可能に前記屋根に取り付けられ、
前記外壁カバー材は、左右および前後方向に伸縮可能であり、
前記外壁カバー材の左右方向における一端部が一方の前記外壁に固定され、前記外壁カバー材の他端部が他方の前記外壁に係脱可能に係合していて、
前記外壁カバー材の下端部には基礎水切りが取り付けられていることを特徴とする建物の接続構造。
【請求項２】
請求項１に記載の建物の接続構造において、
前記上部カバー材は、前後方向に延在する折り曲げ線にて折り曲げ可能であることによって左右方向に伸縮可能であり、かつ、前記上部カバー材の左右方向における少なくとも一端部が前記屋根に前後に摺動可能に取り付けられることによって、前後方向に摺動可能に前記屋根に取り付けられ、
前記外壁カバー材は、上下方向に延在する折り曲げ線にて折り曲げ可能であることによって左右および前後方向に伸縮可能であることを特徴とする建物の接続構造。
【請求項３】
請求項１又は２に記載の建物の接続構造において、
左右に所定の隙間を隔てて隣り合う前記建物が前後にずれて配置されており、
後方に位置する建物の前面の一部が前方に突出しており、
この突出している突出部の上端と前方に位置する前記建物の外壁との間の隙間を覆う中間カバー材が略水平に設けられており、
前記中間カバー材は、前後方向に延在する折り曲げ線にて折り曲げ可能であることによって左右方向に伸縮可能であり、
前記中間カバー材の左右方向における両端部が、それぞれ前記建物の外壁と前記突出部に設けられた支持部に摺動可能に支持されていることを特徴とする建物の接続構造。
【請求項４】
請求項１〜３のいずれか一項に記載の建物の接続構造において、
前記上部カバー材の端部は、前記屋根に前後に摺動可能に取り付けられるスライド部材と、このスライド部材が取り付けられる取付部とから構成されていることを特徴とする建物の接続構造。
【請求項５】
請求項１〜４のいずれか一項に記載の建物の接続構造において、
前記上部カバー材の両端部はそれぞれ前記屋根に高さ調整部材を介して取り付けられていることを特徴とする建物の接続構造。
【請求項６】
請求項５に記載の建物の接続構造において、
前記それぞれの屋根には、それぞれ架台が前後に延在して固定されており、
前記それぞれの架台に、それぞれ前記高さ調整部材がその上端部の高さを合せて取り付けられており、これら高さ調整部材に前記上部カバー材の両端部がそれぞれ取り付けられていることを特徴とする建物の接続構造。
【発明の詳細な説明】
【技術分野】
【０００１】
本発明は、左右に所定の隙間を隔てて隣り合う建物を相互に接続する建物の接続構造に関する。
【背景技術】
【０００２】
所定間隔の隙間をあけて配列された複数の建物の外壁を相互に接続する外壁の接続構造の一例として特許文献１に記載のものが知られている。
この外壁の接続構造は、建物の互いに対向する外壁の一方に取り付けられるブラケットと、前記ブラケットに支持されるとともに前記隙間を塞ぐための接続部材を備えたことを特徴としている。
このような外壁の接続構造によれば、ブラケットに支持される接続部材は、相互に接続されるべき外壁の一方のみに支持されるため、従来のように両端が支持されず、伸縮自在である必要はなくなり、単に、可撓性を有していれば、地震等による横荷重を伝達することがなくなる。
【０００３】
また、所定間隔をおいて桁方向に配列された複数の建物の屋根を相互に接続する屋根の接続構造の一例として特許文献２に記載のものが知られている。
この屋根の接続構造は、各屋根の隣接する妻側端縁間に笠木部材が架け渡され、この笠木部材に、桁方向に沿って略水平に延びた垂直変位吸収部と、この垂直変位吸収部の少なくとも一方の端縁から略垂直に延びた水平変位吸収部とが設けられていることを特徴としている。
このような屋根の接続構造によれば、隣接する各建物間に層間変位が生じた場合、各建物における垂直方向の相対的な変位量は垂直変位吸収部で吸収され、垂直方向に延びた水平変位吸収部が桁方向に倒れ込むことにより、桁方向の変位量も吸収されるようになる。
【先行技術文献】
【特許文献】
【０００４】
【特許文献１】特開平０８−３２６１７１号公報
【特許文献２】特開平０９−１７７１８８号公報
【発明の概要】
【発明が解決しようとする課題】
【０００５】
しかしながら、前記外壁の接続構造では、地震等によって建物どうしが接離するように変位した場合、接続部材（カバー材）の端部と他方の外壁との間に隙間が生じたり、接続部材自体が押し潰されて破損するおそれがある。
また、前記屋根の接続構造では、建物どうしが前後（桁方向と直交する方向）に変位した場合、笠木部材（カバー材）には前後の変位を吸収する吸収部が設けられていないので、笠木部材が破損するおそれがある。
【０００６】
本発明は上記事情に鑑みてなされたもので、地震等の際に建物どうしが接離するように変位したり前後に変位した場合に、建物間の隙間を覆うカバー材が破損するのを防止できる建物の接続構造を提供することを課題としている。
【課題を解決するための手段】
【０００７】
上記課題を解決するために、請求項１に記載の発明は、図１〜図１１に示すように、左右に所定の隙間を隔てて隣り合う建物１，２を相互に接続する建物の接続構造において、
隣り合う前記建物１，２の屋根１ｂ，２ｂに取り付けられて、該屋根１ｂ，２ｂ間の隙間を覆う上部カバー材１０と、
隣り合う前記建物１，２の外壁３１，３２に取り付けられて、該外壁３１，３２間の隙間を覆う外壁カバー材１１，１２とを備え、
前記上部カバー材１０は、左右方向に伸縮可能であり、かつ前後方向に摺動可能に前記屋根１ｂ，２ｂに取り付けられ、
前記外壁カバー材１１，１２は、左右および前後方向に伸縮可能であり、
前記外壁カバー材１１，１２の左右方向における一端部が一方の前記外壁３１に固定され、前記外壁カバー材１１，１２の他端部が他方の前記外壁３２に係脱可能に係合していて、
前記外壁カバー材１１，１２の下端部には基礎水切り４６が取り付けられていることを特徴とする。
【０００８】
請求項１に記載の発明によれば、隣り合う前記建物１，２の屋根１ｂ，２ｂ間の隙間を覆う上部カバー材１０が左右方向に伸縮可能であり、また、隣り合う前記建物１，１の外壁３１，３２間の隙間を覆う外壁カバー材１１，１２が左右方向に伸縮可能であるので、地震等の際に建物１，２どうしが接離するように変位した場合に、上部カバー材１０および外壁カバー材１１，１２はこれに追従して伸縮する。
また、上部カバー材１０は前後方向に摺動可能に前記屋根１ｂ，２ｂに取り付けられ、外壁カバー材１１，１２は前後方向に伸縮可能であるので、地震等の際に建物１，２どうしが前後に変位した場合に、これに追従して上部カバー材１０が前後に摺動するとともに、外壁カバー材１１，１２が前後に伸縮する。
したがって、建物１，２間の隙間を覆うカバー材（上部カバー材１０および外壁カバー材１１，１２）が破損するのを防止できる。
また、請求項１に記載の発明によれば、外壁カバー材１１，１２の他端部が他方の外壁３２に係脱可能に係合しているので、隣り合う建物１，２の施工終了後に、外壁カバー材１１，１２を容易に取り付けることができ、また、外壁カバー材１１，１２の他端部を外壁３２から外すことによって、建物１，２間の隙間の様子を確認したり、またこの隙間を収納としても使用できる。
【０００９】
請求項２に記載の発明は、請求項１に記載の建物の接続構造において、
前記上部カバー材１０は、前後方向に延在する折り曲げ線Ｌ１〜Ｌ４にて折り曲げ可能であることによって左右方向に伸縮可能であり、かつ、前記上部カバー材１０の左右方向における少なくとも一端部が前記屋根１ｂ，２ｂに前後に摺動可能に取り付けられることによって、前後方向に摺動可能に前記屋根１ｂ，２ｂに取り付けられ、
前記外壁カバー材１１，１２は、上下方向に延在する折り曲げ線Ｓ１〜Ｓ５にて折り曲げ可能であることによって左右および前後方向に伸縮可能であることを特徴とする。
【００１０】
請求項２に記載の発明によれば、隣り合う前記建物１，２の屋根１ｂ，２ｂ間の隙間を覆う上部カバー材１０が前後方向に延在する折り曲げ線Ｌ１〜Ｌ４にて折り曲げ可能であることによって左右方向に伸縮可能であり、また、隣り合う前記建物１，１の外壁３１，３２間の隙間を覆う外壁カバー材１１，１２が上下方向に延在する折り曲げ線Ｓ１〜Ｓ５にて折り曲げ可能であることによって左右方向に伸縮可能であるので、地震等の際に建物１，２どうしが接離するように変位した場合に、上部カバー材１０および外壁カバー材１１，１２はこれに追従して伸縮する。
また、上部カバー材１０の左右方向における少なくとも一端部が屋根２ｂに前後に摺動可能に取り付けられており、外壁カバー材１１，１２が上下方向に延在する折り曲げ線Ｓ１〜Ｓ５にて折り曲げ可能であることによって前後方向に伸縮可能であるので、地震等の際に建物１，２どうしが前後に変位した場合に、これに追従して上部カバー材１０の端部が相対的に前後に摺動するとともに、外壁カバー材１１，１２が前後に伸縮する。
したがって、建物１，２間の隙間を覆うカバー材（上部カバー材１０および外壁カバー材１１，１２）が破損するのを防止できる。
【００１３】
請求項３に記載の発明は、例えば図１、図２、図１２、図１３に示すように、請求項１又は２に記載の建物の接続構造において、
左右に所定の隙間を隔てて隣り合う前記建物１，２が前後にずれて配置されており、
後方に位置する建物２の前面２ａの一部が前方に突出しており、
この突出している突出部３の上端と前方に位置する前記建物１の外壁３２との間の隙間を覆う中間カバー材１３が略水平に設けられており、
前記中間カバー材１３は、前後方向に延在する折り曲げ線Ｔ１〜Ｔ４にて折り曲げ可能であることによって左右方向に伸縮可能であり、
前記中間カバー材１３の左右方向における両端部が、それぞれ前記建物１，２の外壁３２と前記突出部３に設けられた支持部４０，４０に摺動可能に支持されていることを特徴とする。
【００１４】
請求項３に記載の発明によれば、突出部３の上端と前方に位置する建物１の外壁３２との間の隙間を覆う中間カバー材１３が前後方向に延在する折り曲げ線Ｔ１〜Ｔ４にて折り曲げ可能であることによって左右方向に伸縮可能であるので、地震等の際に建物１，２どうしが接離するように変位した場合に、中間カバー材１３はこれに追従して伸縮する。
また、中間カバー材１３の左右方向における両端部が、それぞれ建物１，２の外壁３２と突出部３に設けられた支持部４０，４０に摺動可能に支持されているので、地震等の際に建物１，１どうしが前後に変位した場合に、これに追従して中間カバー材１３の両端部が相対的に前後に摺動する。
したがって、建物１，２間の隙間を覆うカバー材（中間カバー材１３）が破損するのを防止できる。
【００１５】
請求項４に記載の発明は、例えば図１４および図１５に示すように、請求項１〜３のいずれか一項に記載の建物の接続構造において、
前記上部カバー材１０の端部は、前記屋根１ｂ，２ｂに前後に摺動可能に取り付けられるスライド部材５０と、このスライド部材５０が取り付けられる取付部５１とから構成されていることを特徴とする。
【００１６】
請求項４に記載の発明によれば、上部カバー材１０の端部が、屋根１ｂ，２ｂに前後に摺動可能に取り付けられるスライド部材５０と、このスライド部材５０が取り付けられる取付部５１とから構成されているので、スライド部材５０を屋根１ｂ，２ｂに摺動可能に取り付けた後、このスライド部材５０を取付部５１に取り付けることができ、よって、上部カバー材１０の端部を容易に屋根１ｂ，２ｂに前後に摺動可能に取り付けることができる。また、上部カバー材１０の取付部５１からスライド部材５０を外すことができるので、上部カバー材１０の運搬が容易となる。
【００１７】
請求項５に記載の発明は、請求項１〜４のいずれか一項に記載の建物の接続構造において、
前記上部カバー材１０の両端部はそれぞれ前記屋根１ｂ，２ｂに高さ調整部材１６，１６Ａを介して取り付けられていることを特徴とする。
【００１８】
請求項５に記載の発明によれば、上部カバー材１０の両端部がそれぞれ屋根１ｂ，２ｂに高さ調整部材１６，１６Ａを介して取り付けられているので、左右の屋根１ｂ，２ｂの高さが異なる場合でも、高さ調整部材１６，１６Ａの高さを調整してその上端部の高さを等しくしたうえで、上部カバー材１０の両端部を高さ調整部材１６，１６Ａの上端部に取り付けることによって、上部カバー材１０を水平に取り付けることができる。
【００１９】
請求項６に記載の発明は、請求項５に記載の建物の接続構造において、
前記それぞれの屋根１ｂ，２ｂには、それぞれ架台１５，１５が前後に延在して固定されており、
前記それぞれの架台１５，１５に、それぞれ前記高さ調整部材１６，１６Ａがその上端部の高さを合せて取り付けられており、これら高さ調整部材１６，１６Ａに前記上部カバー材１０の両端部がそれぞれ取り付けられていることを特徴とする。
【００２０】
請求項６に記載の発明によれば、それぞれの屋根１ｂ，２ｂに固定された架台１５，１５に、それぞれ高さ調整部材１６，１６Ａがその上端部の高さを合せて取り付けられており、これら高さ調整部材１６，１６Ａに上部カバー材１０の両端部がそれぞれ取り付けられているので、屋根１ｂ，２ｂに上部カバー材１０を水平にかつ強固に取り付けることができる。
【発明の効果】
【００２１】
本発明によれば、地震等の際に建物どうしが接離するように変位した場合に、上部カバー材および外壁カバー材はこれに追従して伸縮し、建物どうしが前後に変位した場合に、これに追従して上部カバー材の端部が相対的に前後に摺動し、外壁カバーは前後に伸縮する。
したがって、建物間の隙間を覆うカバー材（上部カバー材および外壁カバー材）が破損するのを防止できる。
【図面の簡単な説明】
【００２２】
【図１】本発明に係る建物の接続構造の一例を示すもので、その概略構成を示す斜視図である。
【図２】同、接続構造の要部を示す斜視図である。
【図３】同、屋根間に上部カバー材を取り付けた状態を示す断面図である。
【図４】同、上部カバー材の横断面図である。
【図５】同、（ａ）は上部カバー材が伸びた状態を示す断面図、（ｂ）は上部カバー材が縮んだ状態を示す断面図である。
【図６】同、上部カバー材の端部と高さ調整部材の上端部との接続構造を示す分解斜視図である。
【図７】同、（ａ）は一方の高さ調整部材を示す横断面図、（ｂ）は他方の高さ調整部材を示す横断面図である。
【図８】同、（ａ）はキャップ部材を示す背面図、（ｂ）は（ａ）におけるＡ−Ａ線断面図である。
【図９】同、外壁間に外壁カバー材を取り付けた状態を示す平断面図である。
【図１０】同、（ａ）は外壁カバー材の要部の斜視図、（ｂ）は外壁カバー材の平断面図である。
【図１１】同、（ａ）は外壁カバー材が伸びた状態を示す平断面図、（ｂ）は外壁カバー材が縮んだ状態を示す平断面図である。
【図１２】同、外壁と突出部との間に中間カバー材を取り付けた状態を示す断面図である。
【図１３】同、（ａ）は中間カバー材が伸びた状態を示す断面図、（ｂ）は中間カバー材が縮んだ状態を示す断面図である。
【図１４】同、第１変形例の上部カバー材を屋根間に取り付けた状態を示す断面図である。
【図１５】同、第１変形例の上部カバー材の端部を示す分解断面図である。
【図１６】同、第２変形例の上部カバー材を屋根間に取り付けた状態を示す断面図である。
【図１７】同、第２変形例の上部カバー材の端部を示す分解断面図である。
【発明を実施するための形態】
【００２３】
以下、図面を参照して本発明に係る建物の接続構造の一例について説明する。
図１は本発明に係る建物の接続構造を備える建物の概略構成を示す斜視図である。図１において符号１，２は建物を示す。建物１，２はそれぞれ２階立ての住宅であり、左右に所定の隙間を隔てて隣り合っているとともに、前後にずれて配置されている。なお、建物１，２はほぼ同一大きさ、同一形状の建物である。
後方に位置する建物２の前面２ａの一部は、前方に突出しており、この突出する突出部３は、２階に設けられた平面視コ字型のバルコニー４とこのバルコニー４の直下に設けられた平面視コ字型の突出壁５とで構成されている。このような突出部３の一方（左方）の側壁面は、建物２の左方の側壁面と面一になっており、突出部３の他方（右方）の側壁面は建物２の前面２ａと直交している。
【００２４】
なお、突出部３の前壁部は、前方に位置する建物１の前面１ａより後方に位置している。また、建物１の前面１ａの一部も前方に突出しており、この突出する突出部３は、前記建物２と同様に、２階に設けられた平面視コ字型のバルコニー４とこのバルコニー４の直下に設けられた平面視コ字型の突出壁５とで構成されている。  
【００２５】
前記建物１，２間の隙間は上部カバー材１０、外壁カバー材１１，１２、中間カバー材１３によって覆われている。
上部カバー材１０は、隣り合う建物１，２の屋根１ｂ，２ｂ間の隙間を覆うものであり、建物１，２の平面視における長手方向に長尺に形成されている。上部カバー材１０の長さは、後方に位置する建物２の前面２ａと、前方に位置する建物１の後面１ｃとの間の距離と等しくなっている。
なお、図３に示すように、屋根１ｂは屋根２ｂより若干高くなっている。また、図１に示すように、屋根１ｂ，２ｂの屋根面はほぼフラットとなっているが、長手方向中央部が若干高く形成され、水勾配が付与されている。
【００２６】
上部カバー材１０は、図２〜図６に示すように、前後方向に延在する折り曲げ線Ｌ１〜Ｌ４にて折り曲げ可能であることによって左右方向に伸縮可能となっている。
すなわち、上部カバー材１０は、帯板状の塩ビ鋼板を、折り曲げ線Ｌ１〜Ｌ４にて折り曲げることによって上面が山形状に形成されたもので、山形状の上面部１０ａと、この上面部１０ａの左右両縁部から下方に鉛直に折曲された側面部１０ｂ，１０ｂと、この側面部１０ｂ，１０ｂの下端縁部から内側に水平に折曲された下面部１０ｃ，１０ｃと、この下面部１０ｃ，１０ｃの縁部から上方に鉛直に折曲された起立面部１０ｄ，１０ｄと、一方の起立面部１０ｄから外側に水平に折曲されたフランジ部１０ｅとから構成されている。
そして、上部カバー材１０は、図５（ａ）に示すように、折り曲げ線Ｌ１とＬ２にて、上面部１０ａと側面部１０ｂ，１０ｂが外側に開くように折り曲げられることによって、左右に伸張できるようになっており、この際、折り曲げ線Ｌ３とＬ４にて、下面部１０ｃ，１０ｃが折り曲げられて斜めに立ち上がるようになっている。
一方、上部カバー材１０は、図５（ｂ）に示すように、折り曲げ線Ｌ１とＬ２にて、上面部１０ａと側面部１０ｂ，１０ｂが内側に閉じるように折り曲げられることによって左右に収縮できるようになっており、この際、折り曲げ線Ｌ２とＬ３にて、側面部１０ｂ，１０ｂが折り曲げられて外側に斜めに倒れるようになっている。
【００２７】
また、図４に示すように、上部カバー材１０の一方（左方）の起立面部１０ｄには、リベット用の孔１０ｅ，１０ｅが上部カバー材１０の長手方向（図４において紙面と直交する方向）に所定間隔で複数形成されており、他方（右方）の起立面部１０ｄには、上部カバー材１０の長手方向に長尺な長孔１０ｆが同長手方向に所定間隔で複数形成されている（図６参照）。
【００２８】
上記構成の上部カバー材１０は以下のようにして建物１，２の屋根１ｂ，２ｂの長手方向に沿う縁部に、屋根１ｂ，２ｂ間の隙間を覆うようにして取り付けられている。
すなわちまず、図３に示すように、屋根１ｂ，２ｂの縁部上面には、それぞれ架台１５，１５がビス等の止着材１６によって屋根１ｂ，２ｂにそれぞれ固定されている。架台１５は上部カバー材１０の長手方向に長尺な中空の直方体状の部材であり、帯板状の合板を断面矩形状に組み立てるとともに、これらを内部に配置された桟材に固定することによって中空の直方体状に形成されている。なお、図３において左側の架台１５はその内部構造を省略して記載している。
また、屋根１ｂ，２ｂに固定された架台１５，１５は屋根１ｂ，２ｂの高さの差の分だけ、高さに差が生じている。つまり、左側の架台１５の方が高くなっている。
【００２９】
前記架台１５，１５には、高さ調整部材１６，１６Ａがその上端部の高さを合せて取り付けられている。
高さ調整部材１６は、図７（ａ）に示すように、帯板状の塩ビ鋼板を折曲することによって形成されたものであり、鉛直面部１６ａと、この鉛直面部１６ａの上縁部から内側に折曲された水平面部１６ｂと、この水平面部１６ｂの縁部から上方に鉛直に折曲された起立面部１６ｃと、前記鉛直面部１６ａの下縁部から外側に水平に折曲され、さらに下方に鉛直に折曲され、さらに上方に折り返されてなる水切り部１６ｄとから構成されている。
高さ調整部材１６Ａは、高さ調整部材１６とほぼ同様の構成であり、起立面部１６ｃから内側に水平に折曲されたフランジ部１６ｅが形成されている点が異なる。
また、高さ調整部材１６の起立面部１６ｃには、リベット用の孔１６ｆ，１６ｆが高さ調整部材１６の長手方向（図７において紙面と直交する方向）に所定間隔で複数形成されており、高さ調整部材１６Ａの起立面部１６ｃには、高さ調整部材１６の長手方向に長尺な長孔１６ｇが同長手方向に所定間隔で複数形成されている（図６参照）。
また、高さ調整部材１６，１６Ａの水平面部１６ｂ，１６ｂには、水密材としてのＥＰＤＭゴム１７，１７が高さ調整部材１６の長手方向に沿って設けられている。
【００３０】
そして、図３に示すように、高さ調整部材１６は、左側の架台１５の側面に、鉛直面部１６ａを当接してビス１８によって固定され、高さ調整部材１６Ａは、右側の架台１５の側面に、鉛直面部１６ａを当接してビス１８によって固定されている。高さ調整部材１６，１６Ａはそれぞれ架台１５，１５より上方に突出して固定されているが、高さ調整部材１６Ａの架台１５から突出長さが、高さ調整部材１６の架台１５からの突出長さより長くなっている。これによって、高さ調整部材１６，１６Ａはその上端部の高さを合せて配置され、水平面部１６ｂ，１６ｂの高さは等しくなっている。
【００３１】
高さが調整された高さ調整部材１６，１６Ａに、以下のようにして、前記上部カバー材１０の両端部がそれぞれ取り付けられている。
すなわち、図３に示すように、高さ調整部材１６，１６Ａの上方から上部カバー材１０が被され、上部カバー材１０の下面部１０ｃ，１０ｃが、高さ調整部材１６，１６Ａの水平面部１６ｂ，１６ｂに上方から当接されている。水平面部１６ｂ，１６ｂの上面に設けられているＥＰＤＭゴム１７，１７は下面部１０ｃ，１０ｃに密着されている。
また、上部カバー材１０の一方の起立面部１０ｄが、高さ調整部材１６の起立面部１６ｃにそれぞれのリベット用の孔を合致させて当接され、この孔にリベット２０が打ち込まれることによって、上部カバー材１０の一方の起立面部１０ｄが高さ調整部材１６の起立面部１６ｃに固定されている。つまり、上部カバー材１０の一端部が高さ調整部材１６に取り付け固定されている。
また、図３および図６に示すように、上部カバー材１０の他方の起立面部１０ｄが高さ調整部材１６Ａの起立面部１６ｃに長孔１０ｆ，１６ｇを合致させて当接されている。起立面部１０ｄ，１６ｃは、ナット付きプレート２１と、プレートワッシャ２２で挟み込まれており、ボルト２３がプレートワッシャ２２から長孔１０ｆ，１６ｇを通されて、ナット付きプレート２１のナットに螺合されている。これによって、上部カバー材１０の他端部（起立面部１０ｄ）が高さ調整部材１６Ａに前後に摺動可能に取り付けられている。
【００３２】
上記のようにして、上部カバー材１０の両端部はそれぞれ屋根１ｂ，２ｂに高さ調整部材１６，１６Ａを介して取り付けられている。そして、上部カバー材１０と高さ調整部材１６，１６Ａを、前後方向に接続する場合、図２に示すように、ジョイナー２４，２５が使用されている。ジョイナー２４はその横断面形状が、上部カバー材１０とほぼ等しく、隣接する上部カバー材１０，１０の接続部の内側にはめ込まれることで、上部カバー材１０，１０を接続している。ジョイナー２５はその横断面形状が、高さ調整部材１６（１６Ａ）とほぼ等しく、隣接する高さ調整部材１６（１６Ａ），１６（１６Ａ）の接続部の内側にはめ込まれることで、高さ調整部材１６（１６Ａ），１６（１６Ａ）を接続している。
また、上部カバー材１０と高さ調整部材１６（１６Ａ）の長さ方向の端部には、キャップ部材２６がはめ込まれている。
このキャップ部材２６は、図８に示すように、山形状の上面部２６ａと、側面部２６ｂ，２６ｂと前面部２６ｃとを備え、側面部２６ｂの裏面にＥＰＤＭゴム２６ｄ，２６ｄが取り付けられ、前面部２６ｃの裏面にＥＰＤＭゴム２６ｅが取り付けられている。
そして、このキャップ部材２６は、図２に示すように、上部カバー材１０と高さ調整部材１６（１６Ａ）の端部に外側からはめ込まれている。この状態において、ＥＰＤＭゴム２６ｅ，２６ｅが高さ調整部材１６，１６Ａの鉛直面部１６ａ，１６ａに密着している。
【００３３】
前記外壁カバー材１１，１２は、図１および図２に示すように、隣り合う建物１，２の外壁間の隙間を覆うものであり、上下に長尺なものとなっている。
外壁カバー材１１は、図２および図１０に示すように、上下方向に延在する折り曲げ線Ｓ１〜Ｓ５にて折り曲げ可能であることによって、前後左右に伸縮可能となっている。すなわち、外壁カバー材１１は、帯板状の塩ビ鋼板を折り曲げ線Ｓ１〜Ｓ５にて折り曲げることによって、略波板状に形成されたもので、その左右両縁部にはそれぞれ平板部１１ａ，１１ａが形成されている。一方の平板部１１ａは、右側の建物２の外壁３１に固定されるものである。他方の平板部１１ａには切欠部が平板部１１ａの長手方向に所定間隔で形成されており、この切欠部に対向して挟み板１１ｂが平板部１１ａと板厚方向に所定の隙間をもって形成されている。
【００３４】
そして、外壁カバー材１１は、図１１（ａ）に示すように、折り曲げ線Ｓ１〜Ｓ５にて、外側に開くように折り曲げられることによって、左右に伸張できるようになっている。
一方、外壁カバー材１１は、図１１（ｂ）に示すように、折り曲げ線Ｓ１〜Ｓ５にて、内側に折り畳むように折り曲げられることによって収縮できるようになっている。
さらに、外壁カバー材１１は、折り曲げ線Ｓ１〜Ｓ５にて、前後に折り曲げられることによって、前後に収縮できるようになっている。
【００３５】
上記構成の外壁カバー材１１は以下のようにして建物１，２の外壁３１，３２に、これら外壁３１，３２の隙間を覆うようにして取り付けられている。
すなわち、図９および図１１に示すように、外壁３１，３２にはそれぞれ断面Ｌ型の長尺な取付金物３３，３３がビス３４によって固定されている。
外壁カバー材１１の一方の平板部１１ａは、取付金物３３に当接されたうえで、ビス３５によって該取付金物３３に固定されている。これによって、外壁カバー材１１の左右方向における一端部が一方の外壁３１に取付金物３３を介して固定されている。
【００３６】
また、外壁カバー材１１の他方の平板部１１ａと挟み板１１ｂとの間に、取付金物３３が挟み込まれている。これによって、外壁カバー材１１の他端部が他方の外壁３２に取付金物３３を介して係脱可能に係合している。一端部が固定された外壁カバー材１１の他端部を取付金物３３に係脱可能に係合する場合、外壁カバー材１１を折り曲げ線Ｓ１〜Ｓ５にて、内側に折り畳むように折り曲げることによって収縮させたうえで、平板部１１ａと挟み板１１ｂとの間を取付金物３３に対向させ、弾性復帰させることによって、平板部１１ａと挟み板１１ｂとの間に取付金物３３を挿入すればよい。また、外壁カバー材１１をバルコニー４より上方から降下させて外壁３１，３２間に配置するとともに、平板部１１ａと挟み板１１ｂとの間を取付金物３３に係合させ、その後、外壁カバー材１１の一端部の平板部１１ａを取付金物３３に固定してもよい。
なお、外壁カバー材１１の端部と外壁３１，３２との間には、シール材３６が充填されており、このシール材３６と取付金物３３との間にバックアップ材３７が設けられている。
【００３７】
外壁カバー材１２は、図１に示すように、前記外壁カバー材１１より奥まった位置で、建物１，２の外壁３１，３２に、これら外壁３１，３２の隙間を覆うようにして取り付けられている。外壁カバー材１２の構成および取付構造は、前記外壁カバー材１１と等しいのでその説明を省略する。
また、建物１，２の後面側において、外壁３１，３２の間の隙間は、前記外壁カバー材１１より長く、断面形状が外壁カバー材１１と等しい外壁カバー材によって、同様にして覆われている。
【００３８】
前記中間カバー材１３は、後方に位置する建物２の突出部３の上端と、前方に位置する建物１の外壁３２との間の隙間を覆うものであり、前後に長尺なものとなっている。
中間カバー材１３は、図２、図１２、図１３に示すように、前後方向（図１２および図１３において紙面と直交する方向）に延在する折り曲げ線Ｔ１〜Ｔ４にて折り曲げ可能であることによって、左右方向に伸縮可能となっている。すなわち、中間カバー材１３は、帯板状の塩ビ鋼板を折り曲げ線Ｔ１〜Ｔ４にて折り曲げることによって、略波板状に形成されたもので、その左右両縁部にはそれぞれ平板部１３ａ，１３ａが形成されている。
【００３９】
そして、中間カバー材１３は、図１３（ａ）に示すように、折り曲げ線Ｔ３、Ｔ４にて、外側に開くように折り曲げられることによって、左右に伸張できるようになっている。
一方、中間カバー材１３は、図１３（ｂ）に示すように、折り曲げ線Ｔ１〜Ｔ４にて、内側に折り畳むように折り曲げられることによって収縮できるようになっている。
【００４０】
前記外壁３２には断面Ｌ形の支持部４０がビス４１によって固定されており、突出部３にも断面Ｌ形の支持部４０がビス４１によって固定されている。これら支持部４０，４０は等しい高さに配置されている。
これら支持部４０，４０には、中間カバー材１３の両縁部の平板部１３ａ，１３ａが前後および左右方向に摺動可能に設けられて、支持されている。
なお、中間カバー材１３の一端部と外壁３２との間、中間カバー材１３の他端部と突出部３との間には、それぞれシール部材４２が充填されており、このシール材４２と支持部４０との間にバックアップ材４３が設けられている。
【００４１】
図１および図２に示すように、建物１，２間の隙間は上述したような上部カバー材１０、外壁カバー材１１，１２、中間カバー材１３によって覆われている。そして、図２に示すように、外壁カバー材１１の上端部には端部キャップ４４が被され、水平カバー材１３の前端部にはコーナキャップ４５が被されたうえで、これらキャップ４４，４５がビスによって連結されている。なお、外壁カバー材１１の下端部には基礎水切り４６が取り付けられ、この基礎水切り４６の下面に防鼠パイプ４７が設けられている。
また、外壁カバー材１２の上下端部にはそれぞれ端部キャップ４８，４８が被されてビスによって固定されている。
【００４２】
本実施の形態の建物の接続構造では、地震等の際に建物どうしが接離するように左右に変位した場合、図５に示すように、これに追従して上部カバー材１０は、折り曲げ線Ｌ１とＬ２にて、上面部１０ａと側面部１０ｂ，１０ｂが外側に開くように折り曲げられることによって、左右に伸張し、また、折り曲げ線Ｌ１とＬ２にて、上面部１０ａと側面部１０ｂ，１０ｂが内側に閉じるように折り曲げられることによって左右に収縮する。
また、外壁カバー材１１，１２は、図１１に示すように、折り曲げ線Ｓ１〜Ｓ５にて、外側に開くように折り曲げられることによって、左右に伸張し、また、折り曲げ線Ｓ１〜Ｓ５にて、内側に折り畳むように折り曲げられることによって収縮する。
さらに、中間カバー材１３は、図１３に示すように、折り曲げ線Ｔ３、Ｔ４にて、外側に開くように折り曲げられることによって、左右に伸張し、さらに、中間カバー材１３の両端部の平板部１３ａ，１３ａが支持部４０，４０上を内側に向けて摺動し、また、折り曲げ線Ｔ１〜Ｔ４にて、内側に折り畳むように折り曲げられることによって収縮する。
【００４３】
一方、地震等の際に建物どうしが前後に変位した場合、これに追従して上部カバー材１０の他端部（起立面部１０ｄ）が前後に摺動する。
また、外壁カバー材１１，１２は、折り曲げ線Ｓ１〜Ｓ５にて、前後に折り曲がることによって、前後に収縮する。
さらに、中間カバー材１３は、その両縁部の平板部１３ａ，１３ａが支持部４０，４０上を前後に摺動する。
したがって、建物間の隙間を覆うカバー材（上部カバー材１０、外壁カバー材１１，１２、中間カバー材１３）が破損するのを防止できる。
【００４４】
また、外壁カバー材１１，１２の他端部が他方の外壁３２に取付金物３３を介して係脱可能に係合しているので、隣り合う建物１，２の施工終了後に、外壁カバー材１１，１２を容易に取り付けることができ、また、外壁カバー材１１，１２の他端部を外壁３２から外すことによって、建物１，２間の隙間の様子を確認したり、またこの隙間を収納としても使用できる。
【００４５】
さらに、上部カバー材１０の両端部がそれぞれ屋根１ｂ，２ｂに高さ調整部材１６，１６を介して取り付けられているので、左右の屋根１ｂ，２ｂの高さが異なる場合でも、高さ調整部材１６，１６の高さを調整してその上端部の高さを等しくしたうえで、上部カバー材１０の両端部を高さ調整部材１６，１６の上端部に取り付けることによって、上部カバー材１０を水平に取り付けることができる。
また、それぞれの屋根１ｂ，２ｂに固定された架台１５，１５に、それぞれ高さ調整部材１６，１６がその上端部の高さを合せて取り付けられており、これら高さ調整部材１６，１６に上部カバー材１０の両端部がそれぞれ取り付けられているので、屋根１ｂ，２ｂに上部カバー材１０を水平にかつ強固に取り付けることができる。
【００４６】
次に、上部カバー材１０の変形例について説明する。
図１４および図１５は、上部カバー材１０の第１変形例を示すものである。これらの図に示す上部カバー材１０が、図３および図４に示す上部カバー材１０と異なる点は、上部カバー材１０の端部が、屋根１ｂ，２ｂに高さ調整部材１６，１６を介して前後に摺動可能に取り付けられるスライド部材５０と、このスライド部材５０が取り付けられる取付部５１とから構成されている点である。なお、図３および図４に示す上部カバー材１０と共通構成部分には同一符号を付してその説明を省略する。
【００４７】
図１４および図１５に示すように、スライド部材５０は、断面略Ｌ字形の長尺（図１４および図１５において紙面と直交する方向に長尺）なもので、その起立面部５０ａには、スライド部材５０の長手方向に長尺な長孔５０ｂが当該長手方向に所定間隔で複数形成されている。
前記取付部５１は、上部カバー材１０の側面部１０ｂで構成されており、この取付部５１の下端部には水切り５１ａが形成されている。取付部５１にスライド部材５０がビス５２によって取り付けられている。
【００４８】
そして、スライド部材５０の起立面部５０ａが高さ調整部材１６Ａの起立面部１６ｃに長孔５０ｂ，１６ｇを合致させて当接されている。起立面部５０ａ，１６ｃは、ナット付きプレート２１と、プレートワッシャ２２および平座金２２ａで挟み込まれており、ボルト２３がプレートワッシャ２２および平座金２２ａから長孔１６ｇ，５０ｂを通されて、ナット付きプレート２１のナットに螺合されている。これによって、スライド部材５０が高さ調整部材１６Ａに前後に摺動可能に取り付けられている。
なお、上部カバー材１０の右端部のスライド部材５０も同様にして、高さ調整部材１６に前後に摺動可能に取り付けられている。
【００４９】
本例では、上部カバー材１０の端部が、屋根１ｂ，２ｂに前後に摺動可能に取り付けられるスライド部材５０と、このスライド部材５０が取り付けられる取付部５１とから構成されているので、スライド部材５０，５０を屋根１ｂ，２ｂに高さ調整部材１６，１６Ａ摺動可能に取り付けた後、このスライド部材５０，５０を取付部５１，５１に取り付けることができ、上部カバー材１０の端部を容易に屋根１ｂ，２ｂに前後に摺動可能に取り付けることができる。また、上部カバー材１０の取付部５１，５１からスライド部材５０，５０を外すことができるので、上部カバー材１０の運搬が容易となる。
【００５０】
図１６および図１７は、上部カバー材１０の第２変形例を示すものである。これらの図に示す上部カバー材１０が、図３および図４に示す上部カバー材１０と異なる点は、上部カバー材１０の下面の構成である。なお、図３および図４に示す上部カバー材１０と共通構成部分には同一符号を付してその説明を省略する。
図１５および図１６に示すように、上部カバー材１０の下面部１０ｃ，１０ｃの縁部から下方に鉛直に折曲された垂下面部１０ｈを備えており、この垂下面部１０ｈに長孔１０ｆが形成されている。
一方、高さ調整部材１６の水平面部１６ｂの縁部にナット付きプレート２１が直角に固定されている。
【００５１】
そして、上部カバー材１０の垂下面部１０ｈが、ナット付きプレート２１に、そのナットと長孔１０ｆを合致させて当接されている。垂下面部１０ｈは、ナット付きプレート２１とプレートワッシャ２２および平座金２２ａで挟み込まれており、ボルト２３がプレートワッシャ２２および平座金２２ａから長孔１０ｆを通されて、ナット付きプレート２１のナットに螺合されている。これによって、上部カバー材１０の垂下面部１０ｈが高さ調整部材１６Ａに前後に摺動可能に取り付けられている。
なお、上部カバー材１０の右端部にも同様にして、垂下面部１０ｈが形成され、同様にして高さ調整部材１６に前後に摺動可能に取り付けられている。
また、高さ調整部材１６の水平面部１６ｂと上部カバー材１０の下面部１０ｃとの間にはＥＰＤＭゴム５３が充填されている。
【００５２】
本例では、図３および図４に示す構造に比して、構成部材を削減できるという利点がある。
【符号の説明】
【００５３】
１，２  建物
３  突出部
１０  上部カバー材
１１，１２  外壁カバー材
１３  中間カバー材
１５  架台
１６，１６Ａ  高さ調整部材
３１，３２  外壁
４０  支持部
【図１】
0005615066.tif 000002
【図２】
0005615066.tif 000003
【図３】
0005615066.tif 000004
【図４】
0005615066.tif 000005
【図５】
0005615066.tif 000006
【図６】
0005615066.tif 000007
【図７】
0005615066.tif 000008
【図８】
0005615066.tif 000009
【図９】
0005615066.tif 000010
【図１０】
0005615066.tif 000011
【図１１】
0005615066.tif 000012
【図１２】
0005615066.tif 000013
【図１３】
0005615066.tif 000014
【図１４】
0005615066.tif 000015
【図１５】
0005615066.tif 000016
【図１６】
0005615066.tif 000017
【図１７】
0005615066.tif 000018